(57)【要約】【課題】電源供給元の動作状態に応じて、安定的に録画装置の待機用の電力を供給しながら、消費電力を低減することが可能な録画装置および待機電力送電システムを提供する。【解決手段】このハードディスクレコーダ１（録画装置）は、電源部１２の電力の供給を制御する電源制御部１３を備え、電源制御部１３は、ＨＤＭＩポート１５を介して、ＴＶ２の動作情報を取得するとともに、取得したＴＶ２の動作情報がＴＶ２からの待機用の電力が受電可能なことを示す動作情報であることに基づいて、電源部１２からの待機用の電力の供給を停止するとともに、ＵＳＢポート１４を介して、ＴＶ２からの待機用の電力を受電する制御を行うように構成されている。【選択図】図４
2015088993.tif 000002
【特許請求の範囲】
【請求項１】
待機用の電力を供給可能に構成されている電源部と、
外部の電子機器からの待機用の電力の供給を受けることが可能に構成されている電力供給用接続部と、
前記電源部の電力の供給を制御する電源制御部と、
前記外部の電子機器と双方向通信する通信用接続部とを備え、
前記電源制御部は、前記通信用接続部を介して、前記外部の電子機器の動作情報を取得するとともに、取得した前記外部の電子機器の動作情報に基づいて、前記電源部からの待機用の電力の供給と、前記電力供給用接続部を介して前記外部の電子機器から受電した待機用の電力との切替を行う制御を行うように構成されている、録画装置。
【請求項２】
前記電源制御部は、前記通信用接続部を介して取得した前記外部の電子機器の動作情報が前記外部の電子機器からの待機用の電力が受電できないことに基づいて、前記電源部から待機用の電力を供給するように構成されている、請求項１に記載の録画装置。
【請求項３】
前記電源制御部は、前記通信用接続部を介して取得した前記外部の電子機器の動作情報が、前記外部の電子機器からの待機用の電力が受電可能なことを示す動作情報である場合には、前記通信用接続部を介して、前記外部の電子機器へ前記待機用の電力の供給を要求する電力要求信号を送信するように構成されている、請求項１または２に記載の録画装置。
【請求項４】
前記電源制御部は、前記録画装置が動作状態である場合に、前記通信用接続部を介して取得した前記外部の電子機器の動作情報が、前記外部の電子機器が待機状態であることを示す動作情報であることに基づいて、前記電源部からの待機用の電力を、前記電力供給用接続部を介して、前記外部の電子機器へ送電するように構成されている、請求項１〜３のいずれか一項に記載の録画装置。
【請求項５】
前記電源制御部は、前記録画装置が動作状態である場合に、前記通信用接続部を介して、前記外部の電子機器より電子機器用電力要求信号を受信したことに基づいて、前記電源部からの待機用の電力を、前記電力供給用接続部を介して、前記外部の電子機器へ送電するように構成されている、請求項４に記載の録画装置。
【請求項６】
前記電力供給用接続部は、ＵＳＢ規格に基づいて、前記外部の電子機器からの待機用の電力を受電するように構成されている、請求項１〜５のいずれか一項に記載の録画装置。
【請求項７】
前記通信用接続部は、ＨＤＭＩ規格に基づいて、前記外部の電子機器と双方向に制御信号を用いて、前記外部の電子機器の動作情報を含む情報の通信を行うように構成されている、請求項１〜６のいずれか一項に記載の録画装置。
【請求項８】
録画装置と、
前記録画装置の外部に設けられ、前記録画装置に接続される電子機器とを備え、
前記録画装置は、待機用の電力を供給可能に構成されている電源部と、前記電子機器からの待機用の電力の供給を受けることが可能に構成されている電力供給用接続部と、前記電源部の電力の供給を制御する電源制御部と、前記電子機器と双方向通信する通信用接続部とを含み、
前記電源制御部は、前記通信用接続部を介して、前記電子機器の動作情報を取得するとともに、取得した前記電子機器の動作情報に基づいて、前記電源部からの待機用の電力の供給と、前記電力供給用接続部を介して前記電子機器から受電した待機用の電力との切替を行う制御を行うように構成されている、待機電力送電システム。
【発明の詳細な説明】
【技術分野】
【０００１】
この発明は、録画装置および待機電力送電システムに関し、特に、待機用の電力を供給可能に構成されている電源部を備える録画装置および待機電力送電システムに関する。
【背景技術】
【０００２】
従来、待機用の電力を供給可能に構成されている電源部を備える録画装置および待機電力送電システムが知られている（たとえば、特許文献１参照）。
【０００３】
上記特許文献１には、ＣＰＵと、電源回路と、電源回路の一次側を制御するリレー素子（電源部）と外部のコンピュータに接続されるＵＳＢアップストリームとを備えた液晶ディスプレイ装置が開示されている。この液晶ディスプレイ装置は、液晶ディスプレイ装置が待機状態の場合、外部のコンピュータとＵＳＢアップストリームとが接続されて外部のコンピュータから液晶ディスプレイに電力が供給されている場合には、リレー素子が液晶ディスプレイの電源回路の一次側を遮断して、外部のコンピュータからＵＳＢアップストリームを介して、供給される電力を待機電力とし、ＵＳＢアップストリームが外部のコンピュータに接続されていない場合には、液晶ディスプレイの電源回路の一次側を遮断しないで、液晶ディスプレイ装置の電源回路より液晶ディスプレイの待機電力が供給されるように構成されている。これにより、待機状態では、液晶ディスプレイの電源回路の一次側を遮断するので、液晶ディスプレイの電源回路における交流電圧を直流電圧に変換する必要がない分、電圧を変換するための消費電力の低減が可能になる。
【先行技術文献】
【特許文献】
【０００４】
【特許文献１】特開２００１−３３７６５６号公報
【発明の概要】
【発明が解決しようとする課題】
【０００５】
しかしながら、上記特許文献１に記載の液晶ディスプレイ装置では、液晶ディスプレイが待機状態の場合、外部コンピュータが通常動作状態か待機状態かに関わらず、外部コンピュータとＵＳＢアップストリームとが接続されて外部のコンピュータから液晶ディスプレイに電力が供給されている場合には、リレー素子が液晶ディスプレイの電源回路の一次側を遮断して、外部のコンピュータから供給される電力を待機電力とする。このため、外部のコンピュータ（電源供給元）が十分な電力供給能力を有していない動作状態でも電力の供給を行うが、この場合には、安定的な電力の供給ができないという問題点があると考えられる。
【０００６】
この発明は、上記のような課題を解決するためになされたものであり、この発明の１つの目的は、電源供給元の動作状態に応じて、安定的に録画装置の待機用の電力を供給しながら、消費電力を低減することが可能な録画装置および待機電力送電システムを提供することである。
【課題を解決するための手段】
【０００７】
上記目的を達成するために、この発明の第１の局面による録画装置は、待機用の電力を供給可能に構成されている電源部と、外部の電子機器からの待機用の電力の供給を受けることが可能に構成されている電力供給用接続部と、電源部の電力の供給を制御する電源制御部と、外部の電子機器と双方向通信する通信用接続部とを備え、電源制御部は、通信用接続部を介して、外部の電子機器の動作情報を取得するとともに、取得した外部の電子機器の動作情報に基づいて、電源部からの待機用の電力の供給と、電力供給用接続部を介して外部の電子機器から受電した待機用の電力との切替を行う制御を行うように構成されている。
【０００８】
この発明の第１の局面による録画装置では、上記のように、通信用接続部を介して、外部の電子機器の動作情報を取得するとともに、取得した外部の電子機器の動作情報に基づいて、電源部からの待機用の電力の供給と、電力供給用接続部を介して外部の電子機器から受電した待機用の電力との切替を行う制御を行うことによって、外部の電子機器が録画装置の待機用の電力を送電可能な動作状態である場合に、外部の電子機器は、電力供給用接続部を介して、録画装置の待機用の電力を送電するので、録画装置は、外部の電子機器の動作状態に応じて、安定的に録画装置の待機用の電力を供給しながら、消費電力を低減することができる。
【０００９】
上記第１の局面による録画装置において、好ましくは、電源制御部は、通信用接続部を介して取得した外部の電子機器の動作情報が外部の電子機器からの待機用の電力が受電できないことに基づいて、電源部から待機用の電力を供給するように構成されている。このように構成すれば、外部の電子機器から待機用の電力を受電している途中に、外部の電子機器からの待機用の電力が遮断された場合でも、電源部から待機用の電力を供給することができるので、待機状態を維持することができる。
【００１０】
上記第１の局面による録画装置において、好ましくは、電源制御部は、通信用接続部を介して取得した外部の電子機器の動作情報が、外部の電子機器からの待機用の電力が受電可能なことを示す動作情報である場合には、通信用接続部を介して、外部の電子機器へ待機用の電力の供給を要求する電力要求信号を送信するように構成されている。このように構成すれば、録画装置が待機状態になった場合に、外部の電子機器へ待機用の電力の供給を要求する電力要求信号を送信した後、外部の電子機器は、電力要求信号に基づいて、待機用の電力を送電することができる。その結果、より確実に、外部の電子機器は、外部の電子機器の動作状態に応じて、安定的に録画装置の待機用の電力を供給することができる。
【００１１】
上記第１の局面による録画装置において、好ましくは、電源制御部は、録画装置が動作状態である場合に、通信用接続部を介して取得した外部の電子機器の動作情報が、外部の電子機器が待機状態であることを示す動作情報であることに基づいて、電源部からの待機用の電力を、電力供給用接続部を介して、外部の電子機器へ送電するように構成されている。このように構成すれば、外部の電子機器が待機状態の場合、電源部からの待機用の電力を外部の電子機器に送電することができるので、外部の電子機器の待機状態の消費電力を低減することができる。
【００１２】
この場合、好ましくは、電源制御部は、録画装置が動作状態である場合に、通信用接続部を介して、外部の電子機器より電子機器用電力要求信号を受信したことに基づいて、電源部からの待機用の電力を、電力供給用接続部を介して、外部の電子機器へ送電するように構成されている。このように構成すれば、録画装置は、受信した電子機器用電力要求信号に基づいて、外部の電子機器へ待機用の電力を送電することができるので、録画装置が待機用の電力を供給可能である場合に、確実に、外部の電子機器に待機用の電力を供給することができる。
【００１３】
上記第１の局面による録画装置において、好ましくは、電力供給用接続部は、ＵＳＢ規格に基づいて、外部の電子機器からの待機用の電力を受電するように構成されている。このように構成すれば、ＵＳＢ規格では、送電する電流量の上限値が規定されているため、電力供給用接続部と外部の電子機器との間に設けられるケーブルは、上限値以上の電流量を流すためのケーブル径にする必要がない。その結果、録画装置および外部の電子機器を含むシステムの構成の大型化を抑制することができる。
【００１４】
上記第１の局面による録画装置において、好ましくは、通信用接続部は、ＨＤＭＩ（登録商標）規格に基づいて、外部の電子機器と双方向に制御信号を用いて、外部の電子機器の動作情報を含む情報の通信を行うように構成されている。このように構成すれば、ＨＤＭＩ規格では、制御系接続方式として、相互機器制御機能を構成することができるＣＥＣ（Ｃｏｎｓｕｍｅｒ  Ｅｌｅｃｔｒｏｎｉｃｓ  Ｃｏｎｔｒｏｌ）規格に基づいて通信を行うため、容易に、外部の電子機器の動作情報を取得することができる。
【００１５】
この発明の第２の局面による待機電力送電システムは、録画装置と、録画装置の外部に設けられ、録画装置に接続される電子機器とを備え、録画装置は、待機用の電力を供給可能に構成されている電源部と、電子機器からの待機用の電力の供給を受けることが可能に構成されている電力供給用接続部と、電源部の電力の供給を制御する電源制御部と、電子機器と双方向通信する通信用接続部とを含み、電源制御部は、通信用接続部を介して、電子機器の動作情報を取得するとともに、取得した電子機器の動作情報が電子機器からの待機用の電力が受電可能なことを示す動作情報であることに基づいて、電源部からの待機用の電力の供給と、電力供給用接続部を介して電子機器から受電した待機用の電力との切替を行う制御を行うように構成されている。
【００１６】
この発明の第２の局面による非接触給電システムでは、上記のように、通信用接続部を介して、電子機器の動作情報を取得するとともに、取得した電子機器の動作情報が電子機器からの待機用の電力が受電可能なことを示す動作情報であることに基づいて、電源部からの待機用の電力の供給と、電力供給用接続部を介して電子機器から受電した待機用の電力との切替を行う制御を行うことによって、電子機器が録画装置の待機用の電力を送電可能である動作状態である場合に、電子機器は、電力供給用接続部を介して、録画装置の待機用の電力を送電するので、録画装置は、電子機器の動作状態に応じて、安定的に録画装置の待機用の電力を供給しながら、消費電力を低減することができる。
【発明の効果】
【００１７】
本発明によれば、上記のように、電源供給元の動作状態に応じて、安定的に録画装置の待機用の電力を供給しながら、消費電力を低減することが可能な録画装置および待機電力送電システムを提供することができる。
【図面の簡単な説明】
【００１８】
【図１】本発明の第１実施形態による待機電力送電システムの全体構成を示した概念図である。
【図２】本発明の第１実施形態による待機電力送電システムの構成を示したブロック図である。
【図３】本発明の第１実施形態による待機電力送電システムの動作状態と待機状態との移行処理を説明するためのフローチャートである。
【図４】本発明の第１実施形態による待機電力送電システムの動作状態と待機状態との移行処理を説明するためのフローチャートである。
【図５】本発明の第２実施形態による待機電力送電システムの構成を示したブロック図である。
【図６】本発明の第２実施形態による待機電力送電システムのＴＶへの待機用の電力送電処理を説明するためのフローチャートである。
【図７】本発明の第３実施形態による待機電力送電システムの構成を示したブロック図である。
【図８】本発明の第３実施形態による待機電力送電システムの動作状態と待機状態との移行処理を説明するためのフローチャートである。
【発明を実施するための形態】
【００１９】
以下、本発明の実施形態を図面に基づいて説明する。
【００２０】
（第１実施形態）
まず、図１および図２を参照して、本発明の第１実施形態による待機電力送電システム１００の構成について説明する。
【００２１】
第１実施形態による待機電力送電システム１００は、図１に示すように、ハードディスクレコーダ１と、ＴＶ（テレビジョン装置）２と、交流電源３と、ユーザによる操作に基づいて、ハードディスクレコーダ１の操作を行うリモコン４とを備える。また、ハードディスクレコーダ１とＴＶ２とは、ＵＳＢ（Ｕｎｉｖｅｒｓａｌ  Ｓｅｒｉａｌ  Ｂｕｓ）規格に基づいた電力を伝送可能に構成されたケーブル５および、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に基づいた制御信号を伝送可能に構成されたケーブル６により接続されている。そして、交流電源３は、ハードディスクレコーダ１およびＴＶ２にそれぞれケーブル７によって接続されているとともに、交流電源３からハードディスクレコーダ１およびＴＶ２にそれぞれ交流電力の供給を行うように構成されている。なお、ハードディスクレコーダ１は、本発明の「録画装置」の一例である。また、ＴＶ２は、本発明の「電子機器」の一例である。
【００２２】
図２に示すように、ハードディスクレコーダ１は、ＣＰＵ（Ｃｅｎｔｒａｌ  Ｐｒｏｃｅｓｓｉｎｇ  Ｕｎｉｔ）を含む制御部１１と、交流電源３とケーブル７を介して接続される電源部１２と、電源部１２に接続されている電源制御部１３とを備えている。また、ハードディスクレコーダ１は、電源制御部１３とＴＶ２とに接続されているＵＳＢポート１４と、制御部１１と電源制御部１３とＴＶ２とに接続されているＨＤＭＩポート１５と、放送信号を受信可能な受信部１６と、制御部１１と電源部１２とＨＤＭＩポート１５と受信部１６とに接続されている録画部１７と、制御部１１と電源部１２と電源制御部１３とＵＳＢポート１４と接続されている操作検知部１８とを備える。なお、ＵＳＢポート１４は、本発明の「電力供給用接続部」の一例である。また、ＨＤＭＩポート１５は、本発明の「通信用接続部」の一例である。
【００２３】
また、電源部１２は、交流直流変換器（図示せず）を含み、交流直流変換器は、交流電源３の交流電圧を直流電圧に変換して、ハードディスクレコーダ１内に電力を供給するように構成されている。
【００２４】
そして、図２に示すように、ＵＳＢポート１４は、ＴＶ２に接続されており、ＴＶ２から伝送された電力を電源制御部１３および操作検知部１８に供給可能なように構成されている。また、ＨＤＭＩポート１５は、ＴＶ２に接続されており、ＣＥＣ（Ｃｏｎｓｕｍｅｒ  Ｅｌｅｃｔｒｏｎｉｃｓ  Ｃｏｎｔｒｏｌ）規格の制御信号と、映像音声信号とをＴＶ２に送信するように構成されている。そして、受信部１６は、放送された映像音声信号を受信するように構成されており、録画部１７は、受信部１６により受信した映像音声信号を録画するように構成されている。
【００２５】
そして、図２に示すように、制御部１１は、ユーザのリモコン４の操作に基づいて、受信部１６により受信した映像音声信号を録画部１７に録画する制御を行うように構成されている。また、制御部１１は、ユーザのリモコン４の操作に基づいて、録画部１７に録画した映像音声信号を、ＨＤＭＩポート１５を介して、ＴＶ２に送信する制御を行うように構成されている。また、操作検知部１８は、リモコン４により送信された赤外線等の光信号を受信して、受信した信号を制御部１１および電源制御部１３に送信するように構成されている。すなわち、ユーザのリモコン４の操作に基づくとは、ユーザによってリモコン４が操作されることにより、リモコン４から操作内容に関する赤外線等の光信号が操作検知部１８に送信され、送信された光信号は操作検知部１８により受信された後、操作検知部１８により、受信した内容に関する電気信号を、制御部１１および電源制御部１３へ送信することによって、制御部１１および電源制御部１３が、操作内容の情報を取得して、取得した操作内容の情報に基づいて制御することを意味する。また、電源制御部１３は、ユーザのリモコン４の操作に基づいて、後述するハードディスクレコーダ１の動作状態と待機状態とを切り替える制御を行うように構成されている。
【００２６】
そして、図２に示すように、ＴＶ２は、ＣＰＵを含むＴＶ側制御部２１と、交流電源３とケーブル７を介して接続される電源部２２と、電源部２２に接続されているとともに、ケーブル５を介して、ハードディスクレコーダ１のＵＳＢポート１４と接続されているＵＳＢポート２４と、ＴＶ側制御部２１および表示部２３と接続されているとともに、ケーブル６を介して、ハードディスクレコーダ１のＨＤＭＩポート１５と接続されているＨＤＭＩポート２５とを備える。
【００２７】
また、図２に示すように、ＴＶ側制御部２１は、ハードディスクレコーダ１からＨＤＭＩポート２５を介して、伝送された映像音声信号を、表示部２３に表示する制御を行うように構成されている。また、ＴＶ側制御部２１は、交流電源３から電源部２２へ電力が供給されている場合、ＨＤＭＩポート２５を介して、ハードディスクレコーダ１へ、待機用の電力を供給可能であることを示す動作情報信号を送信するように構成されている。また、ＴＶ側制御部２１は、ハードディスクレコーダ１より、ＨＤＭＩポート２５を介して、電力要求信号を取得した場合、電源部２２より、ＵＳＢポート２４を介して、待機用の電力を、ハードディスクレコーダ１に伝送するように構成されている。なお、ハードディスクレコーダ１における待機用の電力とは、録画部１７および制御部１１が動作しない状態で使用される電力である。すなわち、ユーザのリモコン４の操作に基づいて、待機状態に移行した場合において使用する電力であり、電源制御部１３および操作検知部１８にのみ供給する電力である。
【００２８】
ここで、第１実施形態では、電源制御部１３は、ＨＤＭＩポート１５を介して、ＴＶ２から送信された待機用の電力を伝送可能であることを示す動作情報を取得するように構成されている。そして、第１実施形態では、電源制御部１３は、ＨＤＭＩポート１５を介して取得したＴＶ２の動作情報が、ＴＶ２からの待機用の電力が受電可能なことを示す動作情報である場合には、ＨＤＭＩポート１５を介して、ＴＶ２へ待機用の電力の供給を要求する電力要求信号を送信するように構成されている。そして、ＴＶ側制御部２１は、送信された電力要求信号を取得するように構成されている。
【００２９】
また、第１実施形態では、ＴＶ側制御部２１は、送信された電力要求信号を取得した場合、電源部２２より、ＵＳＢポート２４およびＵＳＢポート１４を介して、ハードディスクレコーダ１に待機用の電力を供給するように構成されている。そして、電源制御部１３は、ＴＶ２より待機用の電力を受電するとともに、電源部１２からの待機用の電力の供給を停止するように構成されている。そして、ＴＶ２より受電した待機用の電力を電源制御部１３および操作検知部１８に供給するように構成されている。
【００３０】
また、第１実施形態では、電源制御部１３は、ＨＤＭＩポート１５を介して取得したＴＶ２の動作情報がＴＶ２からの待機用の電力が受電できないことに基づいて、電源部１２から待機用の電力を供給するように構成されている。具体的には、ハードディスクレコーダ１が、ユーザのリモコン４の操作に基づいて、待機状態に移行する際に、電源制御部１３は、ＴＶ２からの待機用の電力を伝送可能であることを示す動作情報信号を取得できない場合には、電源部１２から待機用の電力を供給するように構成されている。また、ハードディスクレコーダ１が、ＴＶ２から受電した待機用の電力を使用している場合においても、待機用の電力を伝送可能であることを示す動作情報信号を取得できない状態になった時、たとえば、ＴＶ２の電源部２２と交流電源３との接続が切断された場合には、電源制御部１３は、電源部１２から待機用の電力を供給するように構成されている。
【００３１】
次に、図３および図４を参照して、第１実施形態による待機電力送電システム１００の動作状態と待機状態との移行処理フローについて説明する。ハードディスクレコーダ１における処理は、電源制御部１３により行われる。また、ＴＶ２における処理は、ＴＶ側制御部２１により行われる。
【００３２】
まず、図３に示すように、ハードディスクレコーダ１では、ステップＳ１において、待機状態に移行されたか否かが判断される。すなわち、リモコン４からの待機状態へ移行する内容の信号を取得したか否かが判断される。待機状態へ移行する内容の信号を取得するまで、この判断は繰り返され、待機状態へ移行する内容の信号を取得した場合、ステップＳ２に進む。
【００３３】
そして、ステップＳ２において、電源部１２からの制御部１１および録画部１７への電力の供給を停止する。その後、ステップＳ３に進む。
【００３４】
そして、ステップＳ３において、ＴＶ２からの待機用の電力の受電が可能か否かの判断がなされる。具体的には、ＴＶ２から送信された待機用の電力を伝送可能であることを示す動作情報信号を取得したか否かが判断される。そして、待機用の電力を伝送可能であることを示す動作情報信号を取得した場合、ステップＳ４に進み、待機用の電力を伝送可能であることを示す動作情報信号を取得されない場合、ステップＳ７（図４参照）に進む。
【００３５】
そして、ステップＳ４において、電力要求信号の送信が行なわれる。すなわち、電源制御部１３は、ＨＤＭＩポート１５およびＨＤＭＩポート２５を介して、ＴＶ２のＴＶ側制御部２１へ待機用の電力の供給を要求するための電力要求信号を送信する。その後、ステップＳ５（図４参照）に進む。
【００３６】
また、第１実施形態では、図３に示すように、ＴＶ２は、ステップＳ２０において、動作情報信号を送信する。なお、動作情報信号の送信は、定期的に行われている。その後、ステップＳ２１に進む。具体的には、ステップＳ２０は、交流電源３より電源部２２に電力が供給されている場合（ＴＶ２がハードディスクレコーダ１の待機用の電力の供給が可能な場合）には、ＴＶ側制御部２１は、待機用の電力を伝送可能であることを示す動作情報信号を送信する。一方、交流電源３より電源部２２に電力が供給されていない場合には、ＴＶ側制御部２１は、待機用の電力を伝送可能であることを示す動作情報信号を送信しない。この場合、ハードディスクレコーダ１では、動作情報信号が取得されないため、電源部１２により待機用の電力の供給が行われる（上記ステップＳ３および後述するステップＳ７参照）。
【００３７】
そして、ステップＳ２１において、電力要求信号を取得したか否かが判断される。すなわち、上記したハードディスクレコーダ１から送信された電力要求信号を、ＴＶ側制御部２１が、取得したか否かが判断される。ＴＶ側制御部２１が、電力要求信号を取得した場合、ステップＳ２２に進み、電力要求信号を取得しない場合、ステップＳ２０に戻る。
【００３８】
そして、ステップＳ２２において、待機用の電力をＵＳＢポート２４を介して、送電する。具体的には、ＴＶ側制御部２１は、電源部２２よりハードディスクレコーダ１の待機用の電力をＵＳＢポート２４を介して送電するように構成されている。その後、ステップＳ２１に戻り、ＴＶ側制御部２１が、電力要求信号を継続して取得する場合には、継続して電源部２２よりハードディスクレコーダ１の待機用の電力をＵＳＢポート２４を介して送電するように構成されている。
【００３９】
また、図４に示すように、ハードディスクレコーダ１では、ステップＳ４の後、ステップＳ５において、ＵＳＢポート１４がアクティブか否かが判断される。すなわち、電源制御部１３は、ＵＳＢポート１４を介して、待機用の電力を受電しているか否かを判断する。受電している場合、ステップＳ６に進み、受電していない場合、ステップＳ７に進む。
【００４０】
そして、ステップＳ６において、電源制御部１３は、ＵＳＢポート１４を介して、ＴＶ２より受電した待機用の電力を電源制御部１３および操作検知部１８の電力として用いる。その後、ステップＳ８に進む。
【００４１】
次に、ステップＳ８において、待機状態が終了されたか否かが判断される。すなわち、リモコン４からの待機状態から動作状態へ移行する内容の信号を取得したか否かが判断される。待機状態から動作状態へ移行する内容の信号を取得した場合、ステップＳ９に進み、待機状態から動作状態へ移行する内容の信号を取得していない場合、ステップＳ５に戻る。すなわち、ＴＶ２からの待機用の電力の供給が停止するか、または、ユーザのリモコン４の操作によって、待機状態が終了されるまで、電源制御部１３は、ＵＳＢポート１４を介して、ＴＶ２から受電した待機用の電力を電源制御部１３および操作検知部１８に供給する。
【００４２】
そして、ステップＳ９において、電源部１２から制御部１１および録画部１７に電力が供給され、電源制御部１３および操作検知部１８にも電源部１２から電力が供給される。すなわち、待機状態から動作状態へ移行する。その後、ステップＳ１に戻る。
【００４３】
また、ステップＳ３において、ハードディスクレコーダ１によりＴＶ２からの待機用の電力の受電が可能でないと判断がされた場合、または、ステップＳ５において、ＵＳＢポート１４がアクティブでないと判断された場合、ステップＳ７において、電源部１２から供給された待機用の電力を電源制御部１３および操作検知部１８に供給する、その後、ステップＳ８に進む。
【００４４】
第１実施形態では、以下のような効果を得ることができる。
【００４５】
第１実施形態では、上記のように、待機用の電力を供給可能に構成されている電源部１２と、ＴＶ２からの待機用の電力の供給を受けることが可能に構成されているＵＳＢポート１４と、電源部１２の電力の供給を制御する電源制御部１３と、ＴＶ２と双方向通信するＨＤＭＩポート１５とを備え、電源制御部１３を、ＨＤＭＩポート１５を介して、ＴＶ２の動作情報を取得するとともに、取得したＴＶ２の動作情報に基づいて、電源部１２からの待機用の電力の供給と、ＵＳＢポート１４を介してＴＶ２からの受電した待機用の電力との切替を行う制御を行うように構成する。これにより、ＴＶ２がハードディスクレコーダ１の待機用の電力を送電可能な動作状態である場合に、ＴＶ２は、電力供給用接続部を介して、ハードディスクレコーダ１の待機用の電力を送電するので、ハードディスクレコーダ１は、ＴＶ２の動作状態に応じて、安定的にハードディスクレコーダ１の待機用の電力を供給しながら、消費電力を低減することができる。
【００４６】
また、第１実施形態では、上記のように、電源制御部１３を、ＨＤＭＩポート１５を介して取得したＴＶ２の動作情報がＴＶ２からの待機用の電力が受電できないことに基づいて、電源部１２から待機用の電力を供給するように構成する。これにより、ＴＶ２から待機用の電力を受電している途中に、ＴＶ２からの待機用の電力が遮断された場合でも、電源部１２から待機用の電力を供給することができるので、ハードディスクレコーダ１は、待機状態を維持することができる。
【００４７】
また、第１実施形態では、上記のように、電源制御部１３を、ＨＤＭＩポート１５を介して取得したＴＶ２の動作情報が、ＴＶ２からの待機用の電力が受電可能なことを示す動作情報である場合には、ＨＤＭＩポート１５を介して、ＴＶ２へ待機用の電力の供給を要求する電力要求信号を送信するように構成する。これにより、ハードディスクレコーダ１が待機状態になった場合に、ＴＶ２へ待機用の電力の供給を要求する電力要求信号を送信した後、ＴＶ２は、電力要求信号に基づいて、待機用の電力を送電することができる。その結果、より確実に、ＴＶ２は、ＴＶ２の動作状態に応じて、安定的にハードディスクレコーダ１の待機用の電力を供給することができる。
【００４８】
また、第１実施形態では、上記のように、ＵＳＢポート１４を、ＵＳＢ規格に基づいて、ＴＶ２からの待機用の電力を受電するように構成する。これにより、ＵＳＢ規格では、送電する電流量の上限値が規定されているため、ＵＳＢポート１４とＴＶ２との間に設けられるケーブルは、上限値以上の電流量を流すためのケーブル径にする必要がない。その結果、ハードディスクレコーダ１およびＴＶ２を含むシステムの構成の大型化を抑制することができる。
【００４９】
また、第１実施形態では、上記のように、ＨＤＭＩポート１５を、ＨＤＭＩ規格に基づいて、ＴＶ２と双方向に制御信号を用いて、ＴＶ２の動作情報を含む情報の通信を行うように構成する。これにより、ＨＤＭＩ規格では、制御系接続方式として、相互機器制御機能を構成することができるＣＥＣ（Ｃｏｎｓｕｍｅｒ  Ｅｌｅｃｔｒｏｎｉｃｓ  Ｃｏｎｔｒｏｌ）規格に基づいて通信を行うため、容易に、ＴＶ２の動作情報を取得することができる。
【００５０】
（第２実施形態）
次に、図５を参照して、第２実施形態による待機電力送電システム１０１の構成ついて説明する。第２実施形態では、ＴＶ９が待機状態の場合、ハードディスクレコーダ８からＴＶ９には、待機用の電力が供給されるように構成されている。
【００５１】
図５に示すように、待機電力送電システム１０１は、ハードディスクレコーダ８と、ＴＶ９とを含む。ハードディスクレコーダ８には、電源制御部８１が設けられており、電源部１２とＵＳＢポート１４とは接続されている。また、ＴＶ９には、ＴＶ側制御部９１が設けられており、ＴＶ側制御部９１とＵＳＢポート２４とは接続されている。
【００５２】
ここで、第２実施形態では、電源制御部８１は、ＨＤＭＩポート１５を介して、ＴＶ９の動作情報を取得するように構成されている。具体的には、ＴＶ９が待機状態である場合、ＴＶ側制御部９１は、ＨＤＭＩポート２５およびＨＤＭＩポート１５を介して、電源制御部８１に、ＴＶ９が待機状態であることを示す動作情報信号を送信するように構成されている。また、ＴＶ側制御部９１は、ＴＶ９が待機状態であることを示す動作情報信号を電源制御部８１に送信した後に、ＴＶ９が待機状態において使用するための待機用の電力の供給を要求する電力要求信号を、ＨＤＭＩポート２５およびＨＤＭＩポート１５を介して、電源制御部８１に送信するように構成されている。そして、電源制御部８１は、送信された動作情報信号および電力要求信号を取得するように構成されている。なお、ＴＶ９の待機状態とは、ＴＶ９以外への電力供給を停止して、ＴＶ側制御部９１のみ電力を消費する状態である。後述するハードディスクレコーダ８からの待機用の電力の供給がない場合には、ＴＶ９は、電源部２２から供給される待機用の電力を使用する。
【００５３】
そして、第２実施形態では、ハードディスクレコーダ８が動作状態において、電源制御部８１は、ＨＤＭＩポート１５を介して取得したＴＶ９の動作情報が、ＴＶ９が待機状態であることを示す動作情報であるとともに、ＴＶ９が待機状態において使用するための待機用の電力の供給を要求する電力要求信号を取得した場合には、ＵＳＢポート１４およびＵＳＢポート２４を介して、ＴＶ９へ待機用の電力の供給を行うように構成されている。具体的には、ハードディスクレコーダ８およびＴＶ９がともに待機状態である場合には、ＴＶ９からハードディスクレコーダ８へ待機用の電力が供給されるように構成されている。一方、ハードディスクレコーダ８が、受信部１６により受信した映像音声信号を録画部１７に録画を開始した場合などの動作状態であり、ＴＶ９が待機状態である場合には、ハードディスクレコーダ８からＴＶ９へ待機用の電力を供給するように構成されている。そして、ハードディスクレコーダ８が動作状態から待機状態へ移行した場合、または、ＴＶ９が待機状態から表示部２３に電力を供給する状態（動作状態）に移行した場合には、ハードディスクレコーダ８からＴＶ９への待機用の電力の供給を停止するように構成されている。また、第２実施形態による待機電力送電システム１０１のその他の構成は、第１実施形態における待機電力送電システム１００と同様である。
【００５４】
次に、図６を参照して、第２実施形態による待機電力送電システム１０１のＴＶ９への待機用の電力送電処理フローについて説明する。ハードディスクレコーダ８における処理は、電源制御部８１により行われる。また、ＴＶ９における処理は、ＴＶ側制御部９１により行われる。なお、ハードディスクレコーダ８が待機状態で、ＴＶ９が動作状態の場合の動作は、上記第１実施形態と同様である。
【００５５】
まず、図６に示すように、ＴＶ９では、ステップＳ１２０において、ＴＶ９が待機状態であることを示す動作情報信号がハードディスクレコーダ８に送信される。その後、ステップＳ１２１に進む。そして、ステップＳ１２１では、ＴＶ９が待機状態において使用するための待機用の電力の供給を要求する電力要求信号がハードディスクレコーダ８に送信される。その後、ステップＳ１２２に進む。
【００５６】
そして、第２実施形態によるハードディスクレコーダ８では、ステップＳ１００において、ＴＶ９が待機状態か否かが判断される。すなわち、ＴＶ９が待機状態であることを示す動作情報信号を取得したか否かが判断される。ＴＶ９が待機状態であることを示す動作情報信号を取得するまでこの判断は繰り返され、取得した場合、ステップＳ１０１に進む。
【００５７】
また、ステップＳ１０１において、電力要求信号を取得したか否かが判断される。電力要求信号を取得した場合、ステップＳ１０２に進み、電力要求信号を取得しない場合、ステップＳ１００に戻る。
【００５８】
そして、ステップＳ１０２において、ハードディスクレコーダ８から待機用の電力が、ＵＳＢポート１４およびＵＳＢポート２４を介して、ＴＶ９に供給される。そして、ハードディスクレコーダ８におけるＴＶ９への待機用の電力送電処理フローは終了される。
【００５９】
一方、ＴＶ９では、ステップＳ１２１の後、ＵＳＢポート２４がアクティブか否かが判断される。すわなち、ハードディスクレコーダ８から待機用の電力が供給され、ＵＳＢポート２４を介して、ＴＶ側制御部９１に受電しているか否かが判断される。待機用の電力をＴＶ９が受電している場合、ステップＳ１２３に進み、受電していない場合、ステップＳ１２０へ戻る。
【００６０】
そして、ステップＳ１２３において、受電した待機用の電力をＴＶ９の待機用の電力として使用し、電源部２２からの待機用の電力の供給を停止する。そして、ＴＶ９への待機用の電力送電処理フローは終了される。
【００６１】
第２実施形態では、以下のような効果を得ることができる。
【００６２】
第２実施形態では、上記のように、電源制御部８１を、ハードディスクレコーダ８が動作状態である場合に、ＨＤＭＩポート１５を介して、取得したＴＶ９の動作情報が、ＴＶ９が待機状態であることを示す動作情報であることに基づいて、電源部１２からの待機用の電力を、ＵＳＢポート１４を介して、ＴＶ９へ送電するように構成する。これにより、ＴＶ９が待機状態の場合、電源部１２からの待機用の電力をＴＶ９に送電することができるので、ＴＶ９の待機状態の消費電力をより低減することができる。
【００６３】
第２実施形態では、上記のように、電源制御部１３を、ハードディスクレコーダ８が動作状態である場合に、ＨＤＭＩポート１５を介して、ＴＶ９より電力要求信号を受信したことに基づいて、電源部１２からの待機用の電力を、ＵＳＢポート１４を介して、ＴＶ９へ送電するように構成する。これにより、ハードディスクレコーダ８は、受信した電力要求信号に基づいて、ＴＶ９へ待機用の電力を送電することができるので、ハードディスクレコーダ８が待機用の電力を供給可能である場合に、確実に、ＴＶ９の待機用の電力を供給することができる。また、第２実施形態による待機電力送電システム１０１のその他の効果は、第１実施形態における待機電力送電システム１００と同様である。
【００６４】
（第３実施形態）
次に、図７を参照して、第３実施形態による待機電力送電システム１０２の構成ついて説明する。第３実施形態では、１台のハードディスクレコーダ１および１台のＴＶ２により構成されていた上記第１実施形態の待機電力送電システム１００と異なり、待機電力送電システム１０２が、１台のハードディスクレコーダ１および２台のＴＶ２により構成されている。
【００６５】
第３実施形態では、図７に示すように、待機電力送電システム１０２は、１台のハードディスクレコーダ１および２台のＴＶ２を含む。ハードディスクレコーダ１と、２台のＴＶ２とは、それぞれ、ケーブル５およびケーブル６で接続されている。また、第３実施形態による待機電力送電システム１０２のその他の構成は、第１実施形態における待機電力送電システム１００と同様である。
【００６６】
次に、図８を参照して、第３実施形態による待機電力送電システム１０２のＴＶ２への動作状態から待機状態への移行処理フローについて説明する。ハードディスクレコーダ１における処理は、電源制御部１３により行われる。また、１台目のＴＶ２および２台目のＴＶ２における処理は、それぞれのＴＶ側制御部２１により行われる。
【００６７】
まず、図８に示すように、ハードディスクレコーダ１では、ステップＳ１およびステップＳ２は、第１実施形態によるステップＳ１およびステップＳ２（図３参照）と同様である。
【００６８】
そして、１台目のＴＶ２では、ステップＳ２０において、待機用の電力を伝送可能であることを示す動作情報信号がハードディスクレコーダ１に送信される。そして、ステップＳ２１に進む。
【００６９】
また、２台目のＴＶ２では、ステップＳ２２０において、待機用の電力を伝送可能であることを示す動作情報信号がハードディスクレコーダ１に送信される。そして、ステップＳ２２１に進む。
【００７０】
一方、ハードディスクレコーダ１では、ステップＳ２００において、１台目のＴＶ２または２台目のＴＶ２からの待機用の電力の受電が可能か否かの判断がなされる。具体的には、１台目のＴＶ２または２台目のＴＶ２より待機用の電力を伝送可能であることを示す動作情報信号を取得したか否かが判断される。そして、１台目のＴＶ２または２台目のＴＶ２より待機用の電力を伝送可能であることを示す動作情報信号を取得した場合、ステップＳ２０１に進み、１台目のＴＶ２および２台目のＴＶ２より動作情報信号を取得されない場合は、ステップＳ７（図４参照）に戻る。
【００７１】
そして、ステップＳ２０１において、電力要求信号の送信が行なわれる。すなわち、電源制御部１３は、ＨＤＭＩポート１５およびＨＤＭＩポート２５を介して、１台目のＴＶ２のＴＶ側制御部２１へ待機用の電力の供給を要求するため信号を送信する。また、すでに１台目のＴＶ２のＴＶ側制御部２１に電力要求信号の送信が行われている場合、２台目のＴＶ２のＴＶ側制御部２１には、電力要求信号の送信は行われない。その後、ステップＳ５（図４参照）に進む。
【００７２】
また、１台目のＴＶ２では、ステップＳ２１において、電力要求信号を取得したか否かが判断される。すなわち、上記したハードディスクレコーダ１により送信された電力要求信号を、１台目のＴＶ２のＴＶ側制御部２１が、取得したか否かが判断される。ＴＶ側制御部２１が、電力要求信号を取得した場合、ステップＳ２２に進み、電力要求信号を取得しない場合、ステップＳ２０に戻る。
【００７３】
また、２台目のＴＶ２では、ステップＳ２２１において、１台目のＴＶ２と同様に電力要求信号を取得したか否かが判断される。すなわち、上記したハードディスクレコーダ１から送信された電力要求信号を、２台目のＴＶ２のＴＶ側制御部２１が、取得したか否かが判断される。ＴＶ側制御部２１が、電力要求信号を取得した場合、ステップＳ２２２に進み、電力要求信号を取得しない場合、ステップＳ２２０に戻る。なお、上記したように１台目のＴＶ２にハードディスクレコーダ１から電力要求信号が送信されている場合、２台目のＴＶ２には、電力要求信号が送信されない構成となっているため、この場合、ステップＳ２２２へは進まない。
【００７４】
そして、１台目のＴＶ２では、ステップＳ２２において、待機用の電力がＵＳＢポート２４を介して供給される。その後、ステップＳ２１に戻り、ＴＶ側制御部２１が、電力要求信号を継続して取得する場合には、継続して電源部２２よりハードディスクレコーダ１の待機用の電力がＵＳＢポート２４を介して供給される。
【００７５】
また、２台目のＴＶ２では、ステップＳ２２１からステップＳ２２２に進んだ場合には、待機用の電力がＵＳＢポート２４を介して供給される。その後、ステップＳ２２１に戻る。
【００７６】
一方、ハードディスクレコーダ１では、図４に示すように、ステップＳ２０１の後、ステップＳ５に進む。ステップＳ５〜Ｓ９は、第１実施形態における、ステップＳ５〜ステップＳ９と同様である。
【００７７】
第３実施形態では、以下のような効果を得ることができる。
【００７８】
第３実施形態では、上記のように、待機電力送電システム１０２は、複数のＴＶ２と１台のハードディスクレコーダ１を含む。これにより、複数のＴＶ２のうち、１台でもハードディスクレコーダ１への待機用の電力の供給が可能な場合、待機用の電力の供給ができるので、効果的に、ハードディスクレコーダ１の電源部１２における交流電圧を直流電圧に変換する必要をなくすことができる。その結果、電圧を変換するための消費電力を低減することができる。また、第３実施形態による待機電力送電システム１０２のその他の効果は、第１実施形態における待機電力送電システム１００と同様である。
【００７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８０】
たとえば、第１〜第３実施形態では、本発明を録画装置の一例として、ハードディスクレコーダに適用する例を示したが、本発明はこれに限らない。本発明は、ハードディスクレコーダ以外の録画装置にも適用可能である。たとえば、ブルーレイディスクレコーダなどにも適用可能である。
【００８１】
また、第１〜第３実施形態では、電子機器として、ＴＶを用いる例を示したが、本発明はこれに限らない。本発明は、ＴＶ以外の電子機器を用いてもよい。たとえば、パーソナルコンピュータや、ハードディスクレコーダとは別個に設けられた録画装置等を用いてもよい。
【００８２】
また、第１〜第３実施形態では、ハードディスクレコーダの待機用の電力を、電源制御部および操作検知部に供給する電力とする例を示したが、本発明はこれに限らない。たとえば、待機状態において電源制御部のみに電力を供給するように構成してもよい。
【００８３】
また、第１〜第３実施形態では、ハードディスクレコーダが、ユーザのリモコンの操作に基づいて、動作状態から待機状態へ移行されように構成する例を示したが、本発明はこれに限らない。本発明は、ハードディスクレコーダが、自動的に動作状態から待機状態へ移行されるように構成してもよい。
【００８４】
また、第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８５】
１、８  ハードディスクレコーダ（録画装置）
２、９  ＴＶ（外部の電子機器、電子機器）
１１  制御部
１２  電源部
１３  電源制御部
１４  ＵＳＢポート（電力供給用接続部）
１５  ＨＤＭＩポート（通信用接続部）
１００、１０１，１０２  待機電力送電システム
【図１】
2015088993.tif 000003
【図２】
2015088993.tif 000004
【図３】
2015088993.tif 000005
【図４】
2015088993.tif 000006
【図５】
2015088993.tif 000007
【図６】
2015088993.tif 000008
【図７】
2015088993.tif 000009
【図８】
2015088993.tif 000010